(57)【要約】【課題】セルラー回線を介してストリーミング配信を行う際に適切な設定を行うことを支援すること。【解決手段】映像配信装置は、第１の通信回線網を介して第２の通信回線網側からの配信要求に応じて映像データを配信する第１の配信方式と、当該配信要求によらず映像データを配信する１以上の第２の配信方式と、のいずれかの選択された配信方式に基づいて、第２の通信回線網側に対して映像データを配信する映像データ配信部と、第１の通信回線網との接続の確立により割り当てられたアドレスを記憶する記憶部と、記憶部に記憶されたアドレスが第１の通信回線網におけるプライベートアドレスであるか否かを判定する判定部と、判定部によりアドレスがプライベートアドレスであると判定された場合に、第１の配信方式を無効に設定する設定部と、配信方式の設定に応じた表示内容を表示する表示部と、を備える。【選択図】図１
2015149582.tif 000002
【特許請求の範囲】
【請求項１】
第１の通信回線網を介して第２の通信回線網側からの配信要求に応じて映像データを配信する第１の配信方式と、当該配信要求によらず前記映像データを配信する１以上の第２の配信方式と、のいずれかの選択された配信方式に基づいて、前記第２の通信回線網側に対して前記映像データを配信する映像データ配信部と、
前記第１の通信回線網との接続の確立により割り当てられたアドレスを記憶する記憶部と、
前記記憶部に記憶された前記アドレスが前記第１の通信回線網におけるプライベートアドレスであるか否かを判定する判定部と、
前記判定部により前記アドレスが前記プライベートアドレスであると判定された場合に、前記第１の配信方式を無効に設定する設定部と、
前記配信方式の設定に応じた表示内容を表示する表示部と、
を備える映像配信装置。
【請求項２】
前記表示部は、前記設定部により前記第１の配信方式が無効に設定されていた場合に、前記第１の配信方式の選択欄を無効にした前記配信方式の設定画面を表示する
請求項１に記載の映像配信装置。
【請求項３】
前記表示部は、前記第１の配信方式が無効に設定されていた場合に、前記第１の配信方式が選択できない旨を表示する
請求項１に記載の映像配信装置。
【請求項４】
前記判定部は、前記映像データの配信を開始するための設定要求を受け付けた場合に、前記アドレスが前記プライベートアドレスであるか否かを判定し、併せて、前記配信方式の設定として前記第１の配信方式が選択されているか否かを判定し、
前記設定部は、前記アドレスが前記プライベートアドレスであり、かつ、前記配信方式の設定として前記第１の配信方式が選択されていると判定された場合に、前記第１の配信方式を無効に設定し、
前記表示部は、前記第１の配信方式が無効に設定された場合に、前記配信が開始できない旨を表示する
請求項１に記載の映像配信装置。
【請求項５】
前記第２の配信方式は、２以上であり、
前記表示部は、前記第１の配信方式が無効に設定された場合に、前記２以上の第２の配信方式の種別を前記配信方式の設定の選択候補として表示する
請求項１〜４の何れか１項に記載の映像配信装置。
【請求項６】
前記設定部は、前記判定部により前記アドレスが前記プライベートアドレスであると判定された場合に、前記配信方式を前記第２の配信方式に選択して設定し、
前記表示部は、前記設定部により設定された前記第２の配信方式の種別を表示する
請求項１〜５の何れか１項に記載の映像配信装置。
【請求項７】
映像を撮影する撮影部と、
前記撮影部により撮影された映像を、第１の通信回線網を介して第２の通信回線網に向けて映像データとして配信を行う映像配信部と、
を備え、
前記映像配信部は、
前記第２の通信回線網側からの配信要求に応じて前記映像データを配信する第１の配信方式と、当該配信要求によらず前記映像データを配信する１以上の第２の配信方式と、のいずれかの選択された配信方式に基づいて、前記第２の通信回線網側に対して前記映像データを配信する映像データ配信部と、
前記第１の通信回線網との接続の確立により割り当てられたアドレスを記憶する記憶部と、
前記記憶部に記憶された前記アドレスが前記第１の通信回線網におけるプライベートアドレスであるか否かを判定する判定部と、
前記判定部により前記アドレスが前記プライベートアドレスであると判定された場合に、前記第１の配信方式を無効に設定する設定部と、
前記配信方式の設定に応じた表示内容を表示する表示部と、
を備える撮影装置。
【請求項８】
第１の通信回線網を介して第２の通信回線網側からの配信要求に応じて映像データを配信する第１の配信方式と、当該配信要求によらず前記映像データを配信する１以上の第２の配信方式と、のいずれかの選択された配信方式に基づいて、前記第２の通信回線網側に対して前記映像データを配信するために、前記第１の通信回線網との接続を確立し、
前記接続の確立により割り当てられたアドレスを記憶部に保存し、
前記記憶部に記憶された前記アドレスが前記第１の通信回線網におけるプライベートアドレスであるか否かを判定し、
前記アドレスが前記プライベートアドレスであると判定された場合に、前記第１の配信方式を無効に設定し、
前記配信方式の設定に応じた表示内容を表示する
設定支援方法。
【請求項９】
第１の通信回線網を介して第２の通信回線網側からの配信要求に応じて映像データを配信する第１の配信方式と、当該配信要求によらず前記映像データを配信する１以上の第２の配信方式と、のいずれかの選択された配信方式に基づいて、前記第２の通信回線網側に対して前記映像データを配信する映像データ配信処理と、
前記第１の通信回線網との接続の確立により割り当てられたアドレスを記憶装置に保存する処理と、
前記記憶装置に記憶された前記アドレスが前記第１の通信回線網におけるプライベートアドレスであるか否かを判定する判定処理と、
前記アドレスが前記プライベートアドレスであると判定された場合に、前記第１の配信方式を無効に設定する設定処理と、
前記配信方式の設定に応じた表示内容を表示する表示処理と、
をコンピュータに実行させるプログラム。
【発明の詳細な説明】
【技術分野】
【０００１】
本発明は、映像配信装置、撮影装置、設定支援方法及びプログラムに関する。
【背景技術】
【０００２】
映像データのストリーミング配信の方式には、いわゆるプル型とプッシュ型といった２方式が代表的である。プル型とは、映像データの送信側の装置が、受信側の装置からの配信要求に応じて要求元へ配信を行うストリーミング方式である。プッシュ型とは、配信要求によらず送信側の装置から受信側の装置に対して映像データの配信を行うストリーミング方式である。
【０００３】
ここで、特許文献１には、現場の状況をリアルタイムに把握するための遠隔監視システムに関する技術が開示されている。特許文献１に係る遠隔監視システムは、現場の映像を撮影し、伝送する現場側装置と、伝送された映像を受信し、表示する管理側装置とを備える。現場側装置が備える伝送手段にはアドレスが付されており、管理側装置は、このアドレスが付された伝送手段にアクセスすることで、映像が伝送される。つまり、特許文献１には、プル型に相当する技術が開示されている。
【０００４】
近年、セルラー回線に接続するためのＵＳＢ（Universal Serial Bus）型の無線通信アダプタを装着し、カメラにより撮影された映像データをセルラー回線からインターネット経由によりストリーミング配信する機能を有する映像配信装置が普及しつつある。この映像配信装置では、セルラー回線に接続する際に、接続先の携帯通信網のキャリアからＩＰ（Internet Protocol）アドレスが付与されることにより、インターネットにもアクセスが可能となり、ストリーミング配信を実現するものである。
【先行技術文献】
【特許文献】
【０００５】
【特許文献１】特開２００４−３１２６９５号公報
【発明の概要】
【発明が解決しようとする課題】
【０００６】
ここで、セルラー回線に接続する際に映像配信装置に割り当てられるＩＰアドレスには、グローバルＩＰアドレスとプライベートＩＰアドレスとの２種類があり得る。そして、グローバルＩＰアドレスが割り当てられた場合には、プル型とプッシュ型のいずれであってもストリーミング配信を実施できる。一方、プライベートＩＰアドレスが割り当てられた場合には、プッシュ型のみが実施可能であり、プル型ではストリーミング配信を実施できない。
【０００７】
しかしながら、セルラー回線用の無線通信アダプタを装着した映像配信装置側では、ＩＰアドレスの種類を指定することができない。ＩＰアドレスの割り当ては、携帯通信網のキャリアが運用するサーバが行うものであり、地域や運用変更等のキャリア側の事情に依存するからである。そのため、映像配信装置にプライベートＩＰアドレスが割り当てられていることを知らずに、ユーザがプル型のストリーミング配信の設定をしてしまうことがあり得る。この場合、ストリーミング配信が実施できないことになるが、その原因を特定する作業が煩雑であるという問題点がある。
【０００８】
その理由は、プライベートＩＰアドレスが割り当てられた装置は、携帯通信網のキャリアのルータを介してインターネットに接続することとなるため、原則として、インターネット側から直接のアクセスはできないからである。よって、映像配信装置にプライベートＩＰアドレスが割り当てられた場合には、受信側からのインターネットを介した配信要求のパケットが映像配信装置には到達しない。そのため、映像配信装置にプル型のストリーミング配信の設定を行ったとしても、結果的にストリーミング配信がされないこととなる。
【０００９】
しかしながら、プル型の場合、配信要求を受け付けて初めて映像データを配信するため、配信が行われていないとしても、映像配信装置のユーザには問題があるか否かを判断することが困難である。そして、原因を特定するためには受信側に確認を取ることや映像配信装置の設定を確認するなどの様々な作業が必要となり、その作業が煩雑といえる。
【００１０】
また、特許文献１では、現場側装置がルータ機能を有する。そのため、プライベートＩＰアドレスが設定された複数の伝送装置をこのルータに接続することで、プル型に相当するストリーミング配信を実現するものである。しかし、ルータ機能を有さない映像配信装置にプライベートＩＰアドレスが割り当てられた場合には、やはりプル型のストリーミング配信を実現することはできない。特に、外付けの通信アダプタによりセルラー回線と接続することで通信を実現する映像配信装置に、さらにルータ機能を付加するのはコスト面等からも現実的ではない。
【００１１】
本発明は、上述の課題に鑑みてなされたものであり、セルラー回線を介してストリーミング配信を行う際に適切な設定を行うことを支援するための映像配信装置、撮影装置、設定支援方法及びプログラムを提供することを目的とする。
【課題を解決するための手段】
【００１２】
そこで、本発明の第１の態様は、第１の通信回線網を介して第２の通信回線網側からの配信要求に応じて映像データを配信する第１の配信方式と、当該配信要求によらず前記映像データを配信する１以上の第２の配信方式と、のいずれかの選択された配信方式に基づいて、前記第２の通信回線網側に対して前記映像データを配信する映像データ配信部と、前記第１の通信回線網との接続の確立により割り当てられたアドレスを記憶する記憶部と、前記記憶部に記憶された前記アドレスが前記第１の通信回線網におけるプライベートアドレスであるか否かを判定する判定部と、前記判定部により前記アドレスが前記プライベートアドレスであると判定された場合に、前記第１の配信方式を無効に設定する設定部と、前記配信方式の設定に応じた表示内容を表示する表示部と、を備える映像配信装置を提供する。
【００１３】
また、本発明の第２の態様は、映像を撮影する撮影部と、前記撮影部により撮影された映像を、第１の通信回線網を介して第２の通信回線網に向けて映像データとして配信を行う映像配信部と、を備え、前記映像配信部は、前記第２の通信回線網側からの配信要求に応じて前記映像データを配信する第１の配信方式と、当該配信要求によらず前記映像データを配信する１以上の第２の配信方式と、のいずれかの選択された配信方式に基づいて、前記第２の通信回線網側に対して前記映像データを配信する映像データ配信部と、前記第１の通信回線網との接続の確立により割り当てられたアドレスを記憶する記憶部と、前記記憶部に記憶された前記アドレスが前記第１の通信回線網におけるプライベートアドレスであるか否かを判定する判定部と、前記判定部により前記アドレスが前記プライベートアドレスであると判定された場合に、前記第１の配信方式を無効に設定する設定部と、前記配信方式の設定に応じた表示内容を表示する表示部と、を備える撮影装置を提供する。
【００１４】
また、本発明の第３の態様は、第１の通信回線網を介して第２の通信回線網側からの配信要求に応じて映像データを配信する第１の配信方式と、当該配信要求によらず前記映像データを配信する１以上の第２の配信方式と、のいずれかの選択された配信方式に基づいて、前記第２の通信回線網側に対して前記映像データを配信するために、前記第１の通信回線網との接続を確立し、前記接続の確立により割り当てられたアドレスを記憶部に保存し、前記記憶部に記憶された前記アドレスが前記第１の通信回線網におけるプライベートアドレスであるか否かを判定し、前記アドレスが前記プライベートアドレスであると判定された場合に、前記第１の配信方式を無効に設定し、前記配信方式の設定に応じた表示内容を表示する設定支援方法を提供する。
【００１５】
また、本発明の第４の態様は、第１の通信回線網を介して第２の通信回線網側からの配信要求に応じて映像データを配信する第１の配信方式と、当該配信要求によらず前記映像データを配信する１以上の第２の配信方式と、のいずれかの選択された配信方式に基づいて、前記第２の通信回線網側に対して前記映像データを配信する映像データ配信処理と、前記第１の通信回線網との接続の確立により割り当てられたアドレスを記憶装置に保存する処理と、前記記憶装置に記憶された前記アドレスが前記第１の通信回線網におけるプライベートアドレスであるか否かを判定する判定処理と、前記アドレスが前記プライベートアドレスであると判定された場合に、前記第１の配信方式を無効に設定する設定処理と、前記配信方式の設定に応じた表示内容を表示する表示処理と、をコンピュータに実行させるプログラムを提供する。
【発明の効果】
【００１６】
本発明によれば、セルラー回線を介してストリーミング配信を行う際に適切な設定を行うことを支援するための映像配信装置、撮影装置、設定支援方法及びプログラムを提供することができる。
【図面の簡単な説明】
【００１７】
【図１】本発明の実施の形態１にかかる映像配信システムの全体構成を示すブロック図である。
【図２】本発明の実施の形態１にかかる映像配信装置の構成を示すブロック図である。
【図３】本発明の実施の形態１にかかる配信方式の設定支援処理の流れを示すフローチャートである。
【図４】本発明の実施の形態１にかかる通常（プル型が有効）の場合における配信方式設定画面の例を示す図である。
【図５】本発明の実施の形態１にかかるプル型が無効の場合における配信方式設定画面の例を示す図である。
【図６】本発明の実施の形態２にかかる配信方式の設定支援処理の流れを示すフローチャートである。
【図７】本発明の実施の形態３にかかる配信開始時の処理の流れを示すフローチャートである。
【図８】本発明の実施の形態４にかかる配信方式の自動設定変更処理の流れを示すフローチャートである。
【発明を実施するための形態】
【００１８】
以下では、本発明を適用した具体的な実施の形態について、図面を参照しながら詳細に説明する。各図面において、同一要素には同一の符号が付されており、説明の明確化のため、必要に応じて重複説明は省略する。
【００１９】
＜発明の実施の形態１＞
図１は、本発明の実施の形態１にかかる映像配信システム１００の全体構成を示すブロック図である。映像配信システム１００は、セルラー回線網３を介してインターネット４に向けて映像データを配信する撮影装置１を備えるものである。
【００２０】
セルラー回線網３は、いわゆる携帯通信網であり、第１の通信回線網の一例である。セルラー回線網３は、例えば、携帯電話会社等が運用する携帯通信制御サーバ３１と、無線端末が接続するための基地局３２等を含むものである。ここで、セルラー回線網３に接続する無線端末には、セルラー回線網３の内外での通信のためにＩＰアドレスが割当アドレスとして割り当てられる。ここで、セルラー回線網３側から割り当てられるＩＰアドレスは、固定又は動的なグローバルＩＰアドレスか、所定のアドレス範囲であるプライベートＩＰアドレスかである。尚、プライベートＩＰアドレスは、第１の通信回線網におけるプライベートアドレスの一例である。ここで、携帯通信制御サーバ３１又は基地局３２等は、ルータ機能を備えている場合がある。その場合、セルラー回線網３に接続する無線端末には、セルラー回線網３の上記ルータ機能の管轄内で一意なプライベートアドレスが割当アドレスとして割り当てられる。尚、セルラー回線網３は、公知のものであり、これらの構成に限定されず、これら以外の一般的な構成を含むものとする。
【００２１】
また、インターネット４は、第２の通信回線網の一例であり、公知のものである。映像受信装置５は、インターネット４経由で配信される映像データを受信する機能を有するものである。例えば、ストリーミング配信を受信するためのハードウェアデコーダ等を含むものであってもよい。ハードウェアデコーダは、所定の配信方式により配信される映像データを受信する。また、映像受信装置５には、映像データの再生及び表示装置を含んでも良い。
【００２２】
無線通信アダプタ２は、セルラー回線網３の基地局と接続を確立し、セルラー回線網３内及びインターネット４側の映像受信装置５と通信を行うためのアダプタである。無線通信アダプタ２は、例えば、ＵＳＢ接続により撮影装置１に装着される。無線通信アダプタ２は、セルラー回線網３の基地局と接続を確立することにより、セルラー回線網３側からＩＰアドレスが割当アドレスとして割り当てられる。但し、グローバル又はプライベートのいずれのＩＰアドレスが割り当てられるかは、セルラー回線網３を運営するキャリア事業者との契約や、地域、設備環境、運用方針等に依存するものである。そのため、グローバルＩＰアドレスが付与される契約を結んでいない限り、いずれのタイプのＩＰアドレスが割り当てられるかは、無線通信アダプタ２側では制御できない。
【００２３】
撮影装置１は、いわゆるプル型及びプッシュ型のいずれの配信方式によっても映像データを配信する機能を有する。ここで、プル型の配信方式とは、第１の配信方式の一例であり、配信要求に応じて映像データを配信する方式を示す。プル型の配信方式としては、例えば、RTSP (Real Time Streaming Protocol) / RTP (Real-time Transport Protocol)が挙げられる。RTSP / RTP等のプル型の配信方式では、映像データの受信側から配信元へリクエストを送信することをトリガーに、配信元からの映像データの配信が開始される。図１の場合では、映像受信装置５が撮影装置１のＩＰアドレスを指定して配信要求を行う必要がある。但し、プル型の配信方式の種類はこれに限定されず、複数存在する。
【００２４】
また、プッシュ型の配信方式とは、第２の配信方式の一例であり、配信要求によらず映像データを配信する方式である。プッシュ型の配信方式としては、例えば、MPEG2 − TS / UDPやMPEG2 − TS / TCP等が挙げられる。MPEG2 − TS / UDP等の配信方式では、映像データの配信元から受信側へ直接映像データを送信することにより配信が行われる。図１の場合では、撮影装置１が映像受信装置５のＩＰアドレスを指定して配信を開始することとなる。但し、プッシュ型の配信方式の種類はこれに限定されず、複数存在する。
【００２５】
撮影装置１は、カメラ１１と、レコーダ１２と、映像配信装置１３とを備える。カメラ１１は、撮影部の一例であり、撮影した映像データを映像配信装置１３又はレコーダ１２へ出力する。レコーダ１２は、映像データ１２１を記録する記録装置である。映像配信装置１３は、映像配信部の一例であり、カメラ１１から出力された映像データ１６又はレコーダ１２から読み出した映像データ１２１を外部へ配信する。ここで、映像配信装置１３は、プル型と、プッシュ型のいずれかの配信方式の設定に基づいて、インターネット４側に対して映像データを配信する機能を有する。そのため、映像配信装置１３は、無線通信アダプタ２からセルラー回線網３を経由してインターネット４側の映像受信装置５等に対して映像データを配信する。
【００２６】
図２は、本発明の実施の形態１にかかる映像配信装置１３の構成を示すブロック図である。図２では、映像配信装置１３の周辺の構成については、図１と同一の符号を付し、適宜参照するものとする。尚、映像配信装置１３への入力が映像データ１６の代わりに映像データ１２１であってもよい。
【００２７】
映像配信装置１３は、設定記憶部１３１と、受付部１３２と、表示部１３３と、映像データ配信部１３４と、判定部１３５と、送受信制御部１３６と、アドレス記憶部１３７と、テーブル記憶部１３８と、設定部１３９とを備える。
【００２８】
設定記憶部１３１は、映像配信装置１３における配信方式の設定情報である配信方式情報１３１１、配信方式情報１３１２及び配信方式情報１３１３等を記憶する記憶装置である。配信方式の設定情報は、配信方式の種類、配信方式の有効又は無効を示すフラグ、配信方式が選択（設定）されたか否かを示すフラグ等が配信方式ごとに対応付けられた情報である。配信方式の種類としては、例えば、プッシュ型のMPEG2 − TS / UDPやMPEG2− TS / TCP、プル型のRTSP / RTP等である。本実施の形態では、少なくともプッシュ型及びプル型についてそれぞれ１種類以上、全体で２種類以上が配信方式情報として記憶されていればよい。図２では、例として、配信方式情報１３１１及び１３１２がプッシュ型、配信方式情報１３１３がプル型等としているが、これに限定されない。
【００２９】
受付部１３２は、ユーザから、配信方式の設定画面の表示要求、配信方式の選択要求、映像データのストリーミング配信を開始するための設定要求等を含む各種操作内容を受け付ける。そして、受付部１３２は、受け付けた操作内容に応じて、設定記憶部１３１に記憶された配信方式情報１３１１等の更新や映像データ配信部１３４へ配信開始のための設定要求等の出力等を行う。受付部１３２は、例えば、ボタン、タッチパネル等の一般的な入力デバイスを含むものである。
【００３０】
アドレス記憶部１３７は、無線通信アダプタ２に割り当てられたＩＰアドレス１３７１を記憶する記憶装置である。テーブル記憶部１３８は、プライベートＩＰアドレスのアドレス空間が定義されたアドレス範囲テーブル１３８１を記憶する記憶装置である。
【００３１】
送受信制御部１３６は、無線通信アダプタ２を用いてセルラー回線網３及びインターネット４とのデータの送受信を行う。そして、送受信制御部１３６は、無線通信アダプタ２で受信したデータを映像データ配信部１３４へ出力し、映像データ配信部１３４から入力された映像データ１６等を無線通信アダプタ２へ出力する。また、送受信制御部１３６は、セルラー回線網３との接続の確立により割り当てられたＩＰアドレス１３７１をアドレス記憶部１３７に格納する。
【００３２】
判定部１３５は、アドレス記憶部１３７に記憶されたＩＰアドレス１３７１がセルラー回線網３におけるプライベートＩＰアドレスであるか否かを判定する。つまり、判定部１３５は、割当アドレスがプライベートアドレスであるか否かを判定する。具体的には、判定部１３５は、所定のタイミングでアドレス記憶部１３７からＩＰアドレス１３７１を読み出す。そして、判定部１３５は、テーブル記憶部１３８に格納されたアドレス範囲テーブル１３８１を参照して、ＩＰアドレス１３７１がプライベートＩＰアドレスの範囲であるか否かを判定する。ここで、所定のタイミングとは、例えば、撮影装置１の電源がＯＮにされた時、無線通信アダプタ２にＩＰアドレスが割り当てられ、アドレス記憶部１３７に格納された時、受付部１３２が各種操作内容を受け付けた時、または、定期的又はスケジュールされたタイミング等が含まれる。
【００３３】
設定部１３９は、判定部１３５による判定結果に応じて設定記憶部１３１に記録された配信方式情報１３１１等を更新する。つまり、設定部１３９は、割当アドレスがプライベートアドレスであるか否かに応じて、設定記憶部１３１内のプル型の配信方式情報１３１３の配信方式の有効又は無効を示すフラグを更新する。具体的には、設定部１３９は、判定部１３５により割当アドレスがプライベートアドレスであると判定された場合に、プル型を無効に設定する。
【００３４】
表示部１３３は、配信方式情報１３１１等の設定に応じた表示内容を表示する。つまり、表示部１３３は、判定部１３５等からの出力に応じて設定記憶部１３１から配信方式情報１３１１等を読み出して、設定に応じた表示内容である表示用画面を生成し、画面表示する。ここで、表示内容としては、少なくともユーザに対してプル型による配信が行えない旨を認識させることができるものであればよい。例えば、プル型の選択要求やプル型によるストリーミング配信を開始するための設定要求に対するエラーメッセージを表示することや、配信方式の設定画面においてプル型の選択欄自体を非表示にすることやプル型の選択欄をグレーアウトして選択が不可能な状態にすること等が含まれる。尚、表示部１３３は、撮影装置１に関する設定や映像データの内容を表示する表示装置を含むものである。表示部１３３は、例えば、ディスプレイ等の一般的な表示デバイスである。または、表示部１３３は、外部の表示装置に表示内容を出力する機能を有していてもよい。
【００３５】
本実施の形態１にかかる表示部１３３は、配線方式の設定画面の表示要求を受け付けた際、設定部１３９によりプル型が無効に設定されていた場合に、プル型の選択欄を無効にした設定画面を表示する。このように、プル型の設定の選択自体を防止することで、ユーザは選択できないことを容易に認識することができる。
【００３６】
映像データ配信部１３４は、プル型とプッシュ型とのいずれかの選択された配信方式に基づいて、インターネット４側に対して映像データ１６を配信する。すなわち、映像データ配信部１３４は、設定記憶部１３１に格納された配信方式情報１３１１等のうち、配信方式として設定された方式により映像データ１６を送受信制御部１３６へ出力する。ここで、設定された配信方式がプッシュ型である場合、映像データ配信部１３４は、配信を開始するための設定要求を受け付けたことにより、別途指定されたＩＰアドレスに向けて映像データ１６の出力を開始する。また、設定された配信方式がプル型である場合、配信を開始するための設定要求を受け付けたことにより、配信要求の受付待ち状態となる。その後、映像配信装置１３が映像受信装置５から配信要求を受け付けた後に、配信要求元である映像受信装置５のＩＰアドレスに向けて映像データ１６の出力を開始する。
【００３７】
図３は、本発明の実施の形態１にかかる配信方式の設定支援処理の流れを示すフローチャートである。まず、映像配信装置１３は、無線通信アダプタ２が接続されたか否かを判定する（Ｓ１１）。例えば、撮影装置１はＵＳＢ端子を有している場合には、ＵＳＢ型の無線通信アダプタ２が接続された場合には、映像配信装置１３は無線通信アダプタ２が接続されたことを検出できる。
【００３８】
ステップＳ１１で無線通信アダプタ２が接続されたと判定した場合、映像配信装置１３は、セルラー回線網３との接続処理を行う（Ｓ１２）。つまり、無線通信アダプタ２が携帯通信制御システム３１と通信することにより、セルラー回線網３とのネットワーク接続を確立する。これに伴い、セルラー回線網３側からグローバル又はプライベートのＩＰアドレスが割り当てられる。これにより、以降、映像配信装置１３からセルラー回線網３を介したインターネット４側へのアクセスが可能となる。
【００３９】
続いて、送受信制御部１３６は、割り当てられたＩＰアドレス（割当アドレス）をアドレス記憶部１３７にＩＰアドレス１３７１として保存する（Ｓ１３）。このとき、以前に割り当てられたＩＰアドレス１３７１が保存済みの場合は、上書き保存される。
【００４０】
ここで、ユーザが配信方式設定画面の表示操作を行ったものとする。つまり、受付部１３２は、配信方式設定画面の表示要求を受け付ける（Ｓ１４）。
【００４１】
このとき、判定部１３５は、割当アドレスがプライベートアドレスであるか否かを判定する（Ｓ１５）。上述の通り、判定部１３５は、アドレス記憶部１３７からＩＰアドレス１３７１を読み出し、アドレス範囲テーブル１３８１を参照して、ＩＰアドレス１３７１がプライベートＩＰアドレスか否かを判定する。
【００４２】
ステップＳ１５において、割当アドレスがプライベートアドレスであると判定された場合、設定部１３９は、プル型の配信方式を無効化する（Ｓ１６）。例えば、設定部１３９は、プル型の配信方式情報１３１３を無効に設定する。また、ステップＳ１５において、割当アドレスがプライベートアドレスでないと判定された場合、設定部１３９は、プル型の配信方式を有効化する（Ｓ１７）。例えば、設定部１３９は、プル型の配信方式情報１３１３を有効に設定する。
【００４３】
その後、表示部１３３は、配信方式情報１３１１〜１３１３の配信方式の有効又は無効を示すフラグに基づいて、配信方式設定画面を生成して、表示する（Ｓ１８）。ここで、配信方式情報１３１３の配信方式が無効に設定されていた場合には、表示部１３３は、プル型の選択欄を無効にした配信方式設定画面を生成して、表示する。
【００４４】
図４は、本発明の実施の形態１にかかる通常（プル型が有効）の場合における配信方式設定画面６の例を示す図である。配信方式設定画面６では、配信方式メニュー６１が選択されたことにより、配信方式リスト６２が表示されたことを示す。ここで、プル型配信方式６３は、プル型の配信方式の一例であるRTSP/RTPが有効であり、他の配信方式と同様に選択可能な状態であることを示す。
【００４５】
図５は、本発明の実施の形態１にかかるプル型が無効の場合における配信方式設定画面６ａの例を示す図である。ここで、プル型配信方式６３ａは、RTSP/RTPがグレーアウトされており、他のプッシュ型の配信方式とは異なり、選択が不可能な状態であることを示す。そのため、ユーザは、プル型配信方式６３ａが表示されることにより、少なくとも現段階では、配信方式としてプル型の選択ができないことを認識できる。特に、配信方式に知識のあるユーザであれば、無線通信アダプタ２に割り当てられたＩＰアドレスがプライベートＩＰアドレスであるために、プル型が選択できないこと、つまり、プル型の配信方式の設定が無効であることを理解できる。そのため、ユーザがプッシュ型を選択することや、受信側と連絡を取り、映像受信装置５の設定や機器をプッシュ型に対応させる等を促すこともできる。
【００４６】
そのため、本実施の形態１では、ユーザにプル型の設定を選択させないことにより、プル型のストリーミング配信が実施されていないことを検知するまでの時間を短縮し、ユーザが割り当てられたＩＰアドレスの設定を確認する手間や他の原因を調査する等の煩雑さを軽減できる。よって、セルラー回線を介してストリーミング配信を行う際に適切な設定を行うことを支援することができる。
【００４７】
＜発明の実施の形態２＞
本発明の実施の形態２は、上述した実施の形態１の変形例であり、配信方式の設定に応じた表示内容を、プル型の選択要求時のエラーメッセージとしたものである。具体的には、判定部１３５の判定タイミングをユーザがプル型を選択して選択要求を行った際とする。以下では、実施の形態１との違いについて説明し、実施の形態１と同等の内容について適宜説明を省略する。
【００４８】
図６は、本発明の実施の形態２にかかる配信方式の設定支援処理の流れを示すフローチャートである。ステップＳ１１からＳ１４までは図３と同様である。ここで、ステップＳ１４の配信方式設定画面の表示要求に応じて、表示部１３３は、配信方式設定画面を表示する（Ｓ１８）。すなわち、配信方式設定画面の表示時点では、図４のようにプル型の選択も可能とする。
【００４９】
ここで、ユーザがプル型の選択操作を行ったものとする。つまり、受付部１３２は、ユーザの上記選択操作によりプル型の選択要求を受け付ける（Ｓ１９）。
【００５０】
このとき、判定部１３５は、図３のステップＳ１５と同様に、割当アドレスがプライベートアドレスであるか否かを判定する（Ｓ２０）。割当アドレスがプライベートアドレスであると判定された場合、設定部１３９は、図３のステップ１６と同様に、プル型の配信方式を無効化する（Ｓ２１）。そして、表示部１３３は、プル型が選択できない旨を示すエラーメッセージを表示する（Ｓ２２）。これにより、ユーザは、実施の形態１と同様に、配信方式としてプル型の選択ができないことを認識できる。一方、割当アドレスがプライベートアドレスでないと判定された場合、設定部１３９は、配信方式をプル型に設定する（Ｓ２３）。このように、本実施の形態２においても実施の形態１と同様の効果を奏する。また、ユーザは、プル型が選択できないことを明確に認識できる。
【００５１】
＜発明の実施の形態３＞
本発明の実施の形態３は、上述した実施の形態１又は２の改良例であり、判定部１３５の判定タイミングを、ユーザから映像データのストリーミング配信を開始するための設定要求を受け付けた際とするものである。
【００５２】
その理由は、配信方式の設定時にはグローバルＩＰアドレスが割り当てられていたためにプル型の設定自体が可能であったとしても、その後、ＩＰアドレスが再割り当てされた際には、プライベートＩＰアドレスとなり得るためである。例えば、プル型に設定後に、他の基地局の管理下に撮影装置１を移動させることや、他のキャリアの無線通信アダプタ２に差替えること、さらには、キャリア側の都合により、新たにプライベートＩＰアドレスが割り当てられる場合がある。この場合、実施形態１又は２では、設定としてプル型が可能となるが、実際にストリーミング配信の開始待ち状態に移行したとしても、受信側からの配信要求が到達しないためプル型が実現できない。よって、当初の課題が起こり得る。
【００５３】
そこで、本発明の実施の形態３では、判定部１３５は、映像データの配信を開始するための設定要求を受け付けた場合に、ＩＰアドレスがセルラー回線網３内のプライベートアドレスであるか否かを判定し、併せて、配信方式の設定としてプル型が選択されているか否かを判定する。尚、「映像データの配信を開始するための設定要求」とは、例えば、図４の配信方式設定画面６において、“Live Streaming”が”Off”から”On”に設定された場合に相当する。そして、設定部１３９は、割当アドレスがプライベートアドレスであり、かつ、配信方式の設定としてプル型が選択されていると判定された場合に、プル型の設定を無効に設定する。また、表示部１３３は、プル型が無効に設定された場合に、配信が開始できない旨を表示する。
【００５４】
つまり、実施形態１又は２に加えて、プル型のストリーミング配信を開始するために配信要求の待ち受け状態に移行する時にも、その時点の割当アドレスを判定し、プライベートアドレスであった場合には、プル型の設定を無効にし、配信が開始できない旨を表示する。または、配信方式の設定時に割当アドレスの判定をせずとも、少なくとも配信要求の待ち受け状態への移行時にその時点のアドレスによって配信の可否を判定するようにすればよい。
【００５５】
さらに、プッシュ型の配信方式が２以上である場合には、次のようにしてもよい。表示部１３３は、プル型が無効に設定された場合に、２以上のプッシュ型の種別を配信方式の設定の選択候補として表示する。これにより、ユーザがプッシュ型を選択し易くなり、より効果的に配信方式の設定を支援できる。尚、以下では、配信方式としてプッシュ型が２種類以上選択可能である場合について説明するが、プッシュ型が１種類でも実現可能である。以下では、実施の形態１との違いについて説明し、実施の形態１と同等の内容について適宜説明を省略する。
【００５６】
図７は、本発明の実施の形態３にかかる配信開始時の処理の流れを示すフローチャートである。まず、受付部１３２は、ユーザからストリーミング配信を開始するための設定要求を受け付ける（Ｓ３１）。次に、図３のステップＳ１５と同様に、判定部１３５は、割当アドレスがローカルアドレスであるか否かを判定する（Ｓ３２）。割当アドレスがローカルアドレスである場合、判定部１３５は、配信方式の設定がプル型であるか否かを判定する（Ｓ３３）。具体的には、判定部１３５は、設定記憶部１３１の配信方式情報１３１１〜１３１３等の中から配信方式が選択されたことが設定されたものを特定し、その配信方式の種類がプル型か否かを判定する。尚、ステップＳ３２及びＳ３３の判定は、逆の順序又は並列に実行してもよい。
【００５７】
ステップＳ３３において、配信方式の設定がプル型であると判定された場合、設定部１３９は、図３のステップ１６と同様に、プル型の配信方式を無効化する（Ｓ３４）。そして、表示部１３３は、配信が開始できない旨を表示する（Ｓ３５）。例えば、エラーメッセージを表示する。これにより、ユーザは、配信方式をプル型に設定したことにより、ストリーミング配信が開始できないことを認識できる。
【００５８】
そして、表示部１３３は、プッシュ型の配信方式を選択候補として表示する（Ｓ３６）。例えば、図４の配信方式リスト６２のうちプッシュ型の配信方式のみをリストアップしたものを表示する。これにより、ユーザは、プッシュ型の配信方式の選択が容易になる。
【００５９】
尚、ステップＳ３２で割当アドレスがプライベートアドレスでないと判定した場合、又は、ステップＳ３３で配信方式の設定がプル型でないと判定した場合には、映像データ配信部１３４は、ストリーミング配信を開始する（Ｓ３７）。
【００６０】
＜発明の実施の形態４＞
本発明の実施の形態４は、上述した実施の形態１〜３の改良例であり、割り当てアドレスがプライベートアドレスである場合には、配信方式の設定をプッシュ型に設定するものである。すなわち、設定部１３９は、判定部１３５により割当アドレスがプライベートアドレスであると判定された場合に、配信方式をプッシュ型に選択して設定する。そして、表示部１３３は、設定部１３９により設定されたプッシュ型の種別を表示する。これにより、ユーザは、プッシュ型への設定操作が不要となり、また、自動的にどのプッシュ型に設定されたかを容易に認識することができる。以下では、実施の形態１〜３との違いについて説明し、実施の形態１〜３と同等の内容について適宜説明を省略する。
【００６１】
図８は、本発明の実施の形態４にかかる配信方式の自動設定変更処理の流れを示すフローチャートである。まず、判定部１３５は、ステップＳ１５又はＳ２０のタイミングで、割当アドレスがプライベートアドレスであるか否かを判定する（Ｓ４１）。そして、割当アドレスがプライベートアドレスである場合、設定部１３９は、配信方式をプッシュ型に設定する（Ｓ４２）。割当アドレスがプライベートアドレスである以上、プル型では配信できないためである。尚、プッシュ型が複数である場合、選択の仕方は任意とする。そして、表示部１３３は、設定した配信方式の種別を表示する（Ｓ４３）。これにより、ユーザは上述した効果を奏することができる。
【００６２】
尚、実施の形態４を実施の形態３に適用する場合には、図７のステップＳ３６に代えて、図８のステップＳ４２及びＳ４３を実行するようにしてもよい。
【００６３】
＜その他の発明の実施の形態＞
尚、映像配信装置１３は、撮影装置１の外部に存在していてもよい。また、映像配信装置１３は、無線通信アダプタ２、レコーダ１２の一部又は全てを内蔵していてもよい。
【００６４】
また、本発明の各実施の形態は、ストリーミング配信に限定されず、レコーダ１２に保存された映像データ１２１をオンデマンド等で配信する場合にも適用可能である。
【００６５】
なお、本発明は上記実施の形態に限られたものではなく、趣旨を逸脱しない範囲で適宜変更することが可能である。
【００６６】
また、上述の撮像装置及び携帯端末装置の任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６７】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【符号の説明】
【００６８】
１００  映像配信システム
１  撮影装置
１１  カメラ
１２  レコーダ
１２１  映像データ
１３  映像配信装置
１３１  設定記憶部
１３２  受付部
１３３  表示部
１３４  映像データ配信部
１３５  判定部
１３６  送受信制御部
１３７  アドレス記憶部
１３８  テーブル記憶部
１３９  設定部
２  無線通信アダプタ
３  セルラー回線網
４  インターネット
５  映像受信装置
【図１】
2015149582.tif 000003
【図２】
2015149582.tif 000004
【図３】
2015149582.tif 000005
【図４】
2015149582.tif 000006
【図５】
2015149582.tif 000007
【図６】
2015149582.tif 000008
【図７】
2015149582.tif 000009
【図８】
2015149582.tif 000010